(57)【要約】自動的な動物の餌分配装置は、整列配置された上下の開口を備えた静止水平軸管状ケース、ケースと同軸である単一開口を備えて形成された管状円周壁を有する回転可能な餌ディスペンサー、動物の餌が餌ディスペンサーに重力で供給可能であるホッパー、餌ディスペンサーから放出される餌を受けるために、そして放出された餌をボウルに向けるために、餌ディスペンサーから下向きに延びる傾斜シュート、及び餌ディスペンサーの開口がケースの上部開口に合わせられるときに、餌の一回分がホッパーから餌ディスペンサーに導入可能であり、そして餌の一回分が所定角距離だけの餌ディスペンサーの回転の後に下部ケース開口を経由して完全に分配されるように、餌ディスペンサーを所定の反復可能な角距離だけ回転させるための力伝達ユニットを備える。
2018514217.tif 000002
【特許請求の範囲】
【請求項１】
ａ）整列配置された上下の開口を備えて形成された静止水平軸管状ケースと、
ｂ）前記ケースと同軸である管状円周壁及び前記円周壁に形成された単一開口を有する回転可能な餌ディスペンサーと、
ｃ）動物の餌が前記餌ディスペンサーに重力で供給可能であるホッパーと、
ｄ）前記餌ディスペンサーから放出される前記動物の餌を受けるために、そして前記放出された動物の餌を餌ボウルに向けるために、前記餌ディスペンサーから下向きに延びる傾斜シュートと、
ｅ）前記餌ディスペンサーの前記開口が前記ケースの前記上部開口に合わせられて、動物の餌の一回分が前記餌ディスペンサーの所定角距離だけの回転の後に前記ケースの前記下部開口を経由して完全に分配可能であるときに、前記動物の餌の一回分が前記ホッパーから前記餌ディスペンサーに導入可能であるように、前記餌ディスペンサーを前記所定の反復可能な角距離だけ回転させるための力伝達ユニットと、
を備える自動的な動物の餌分配装置。
【請求項２】
前記力伝達ユニットはフロー制御装置により駆動される請求項１に記載の動物の餌分配装置。
【請求項３】
前記フロー制御ユニットは、家庭用給水システムからの加圧水により供給されて、前記フロー制御ユニットから放出される前記水は、水ボウルに供給される請求項２に記載の動物の餌分配装置。
【請求項４】
前記力伝達ユニットは、前記ホッパーの側壁に回転可能に取り付けられるシリンダーと、前記シリンダー内で移動可能であるピストンと、前記ピストンに連結している伸縮自在のピストンロッドと、前記ピストンロッドの端に連結しているカプラーと、前記カプラーに枢着した曲げられたブラケットと、を備え、前記ブラケットは前記餌ディスペンサーの円形端壁にも連結している請求項３に記載の動物の餌分配装置。
【請求項５】
水力が前記ピストンの両側に交互に印加可能であるように、前記シリンダーは複動式である請求項４に記載の動物の餌分配装置。
【請求項６】
前記フロー制御ユニットは、前記水の流量を制御するための制御弁及び前記制御弁の周期的動作を選択された時間に同期させるためのコントローラを備える請求項５に記載の動物の餌分配装置。
【請求項７】
長手方向に移動可能な減容装置は、前記動物の餌の望ましい量を定めるために前記餌ディスペンサーの内部に受け入れ可能である請求項１に記載の動物の餌分配装置。
【請求項８】
前記餌ディスペンサーの前記開口に接する長手方向に延びる端は、前記ケースの前記上部開口の長手方向に延びる端に関して斜めであり、このことにより、前記餌ディスペンサーが前記ケース上部開口の前記端に向かう方向に回転しているときに前記餌ディスペンサー端と前記ケース上部開口の前記端の間に押し込まれる前記動物の餌の部分に通常作用する剪断力を軽減し、更に前記餌ディスペンサー端と前記ケース上部開口の前記端の間から前記動物の餌の他の部分を除去する請求項１に記載の動物の餌分配装置。
【請求項９】
リップは、前記動物の餌を前記回転餌ディスペンサー内に保持するために、そして動物の餌の前記一回分が前記シュートに完全に放出されることを確実にするために、前記斜めの端で前記餌ディスペンサーの前記円周壁から内向きに延びる請求項８に記載の動物の餌分配装置。
【請求項１０】
前記餌ディスペンサーが回転する前記角距離は、１００度より大きい請求項１に記載の動物の餌分配装置。
【請求項１１】
前記餌ディスペンサーが回転する前記角距離は、１１０〜１４０度に及ぶ請求項１０に記載の動物の餌分配装置。
【発明の詳細な説明】
【技術分野】
【０００１】
本発明はディスペンサーの分野に関する。より詳細には、本発明は自動的な動物の餌分配装置に関する。
【背景技術】
【０００２】
その飼主がいないときに動物に給餌するための、いくつかの自動的な動物の餌ディスペンサーは、従来技術から公知である。
【先行技術文献】
【特許文献】
【０００３】
【特許文献１】国際公開第２００６／０５１１３０号パンフレット
【特許文献２】米国特許第６１６１５０３号明細書
【発明の概要】
【発明が解決しようとする課題】
【０００４】
特許文献１は、内蔵型ホッパーを備える動物の給餌桶を開示している。放出シュートの下に配置される水平管は、その放出端の方へ管に供給される給餌の量を移動するためのプランジャーを備えている。プランジャーは、ピストンを含む室（ｃｈａｍｂｅｒ）に収容されるばねの影響下で引っ込められる。室は、プランジャーを動かすための加圧水入口及び水がそこを通ってプランジャーの後退の間に給水ボウルの方へ送られる出口を有する。この構成では、しかしながら、乾燥した動物の餌は、砕かれて、水平に動くプランジャーの作用によって大きさが小さくなる。
【０００５】
特許文献２は、自動的な動物の給餌及び給水装置を開示している。給水システムが起動すると共に、流水はインペラーを回転させて、それは次に回転をその長さに沿ってコルク型のフィンを備えた細長いシリンダーに与える。ホッパーに格納される餌は、フィンの間の領域に重力で供給されて、シリンダーの向こう側まで回転する。装置から分配される餌の量は、フィンのあるシリンダーと連結する開口の閉鎖によって、または制動装置をかけてインペラー及びシリンダーの回転を遅くすることによって調整できる。餌は、水がボウルに流れ込んでいると同時に、動物に分配される。しかしながら、水で動くインペラーを用いて、シリンダーの角変位、したがって分配される餌の量は、正確に制御することができない。この装置の更なる欠点は、回転される乾燥した動物の餌がそれが分配される開口の壁との接触によって砕かれる傾向があるということである。
【０００６】
本発明の目的は、動物の餌の正確な所定量を分配する自動的な動物の餌分配装置を提供することである。
【０００７】
本発明の更なる目的は、乾燥した固形の動物の餌が砕かれるのを防止する自動的な動物の餌分配装置を提供することである。
【０００８】
本発明の他の目的及び利点は、説明が進むにつれて明らかになる。
【課題を解決するための手段】
【０００９】
本発明は、整列配置された上下の開口を備えて形成された管状ケース、前記ケースと同軸である管状円周壁及び前記円周壁に形成された単一開口を有する回転可能な餌ディスペンサー、動物の餌が前記餌ディスペンサーに重力で供給可能であるホッパー、前記餌ディスペンサーから放出される動物の餌を受けるために、そして前記放出された動物の餌を餌ボウルに向けるために、前記餌ディスペンサーから下向きに延びる傾斜シュート、及び前記餌ディスペンサーの開口が前記ケースの上部開口に合わせられるときに、動物の餌の一回分が前記ホッパーから前記餌ディスペンサーに導入可能であり、そして動物の餌の前記一回分が前記所定角距離だけの前記餌ディスペンサーの回転の後に前記ケースの下部開口を経由して完全に分配されるように、前記餌ディスペンサーを所定の反復可能な角距離だけ回転させるための力伝達ユニットを備える、自動的な動物の餌分配装置を提供する。
【００１０】
一つの態様では、餌ディスペンサーの開口に接する長手方向に延びる端は、ケースの上部開口の長手方向に延びる端に関して斜めであり、それによって、餌ディスペンサーがケース上部開口の前記端に向かう方向に回転するときに、前記餌ディスペンサーの端とケース上部開口の前記端の間に詰め込まれる動物の餌の部分に通常作用する剪断力を軽減して、更に前記餌ディスペンサーの端とケース上部開口の前記端の間から動物の餌の他の部分を除去する。
【図面の簡単な説明】
【００１１】
【図１】その側壁が取り除かれて、その上蓋が上がった、動物の餌が餌ディスペンサーに導入可能である初期位置にある力伝達ユニットを示す、本発明の一実施形態による、動物の餌分配装置の側及び上部からの斜視図である。
【図２】図１の細部Ａ（ＤＥＴＡＩＬ  Ａ）の拡大である。
【図３】餌ディスペンサーの軸と直角をなす平面に沿って切った、図１の装置の垂直断面図である。
【図４】３つの連続する周期的な段階のフロー制御ユニットの動作を概略的に示す図であり、フロー制御ユニットによって餌分配動作は制御される。
【図５】３つの連続する周期的な段階のフロー制御ユニットの動作を概略的に示す図であり、フロー制御ユニットによって餌分配動作は制御される。
【図６】３つの連続する周期的な段階のフロー制御ユニットの動作を概略的に示す図であり、フロー制御ユニットによって餌分配動作は制御される。
【図７】ホッパーの側壁から分離されたときに示される、周囲のケース内に配置された餌ディスペンサーの上部からの斜視図である。
【図８】餌ディスペンサーがそこから取り外されたあとに示される、図７のケースの上部からの斜視図である。
【図９】その側壁が取り除かれて、その上蓋が上がった、動物の餌が餌ディスペンサーからシュートに放出可能である終了位置にある力伝達ユニットを示す、本発明の一実施形態による、動物の餌分配装置の側及び上部からの斜視図である。
【図１０】図９の細部Ｂ（ＤＥＴＡＩＬ  Ｂ）の拡大である。
【図１１】餌ディスペンサーの軸と直角をなす平面に沿って切った、図９の装置の垂直断面図である。
【図１２】ホッパーの側壁から分離された、本発明の別の実施形態による餌ディスペンサーの上部からの斜視図である。
【図１３】ケースの隣接する端に接近している餌ディスペンサーの傾斜リップを示す、周囲の分離したケース内に配置されるときの図１２の餌ディスペンサーの上部からの斜視図である。
【図１４】図１３の餌ディスペンサーに導入可能であって、傾斜リップに係合可能である減容装置の上部からの斜視図である。
【発明を実施するための形態】
【００１２】
本発明は、動物の餌の所定の一回分を分配する分配装置である。起動力の唯一の源として機能を果たす家庭用給水システムからの加圧水によって制御可能に移動する油圧ピストンは、動物の餌の全一回分が分配されることを確実にするために、回転可能な餌ディスペンサーを正確な所定角距離だけ駆動する。
【００１３】
図１は、その側壁が取り除かれて、上蓋２が上がった、本発明の一実施形態による、全体を符号１０により示される、自動的な動物の餌分配装置を例示する。
【００１４】
分配装置１０は、乾燥した動物の餌が回転可能な餌ディスペンサー１４に重力で供給されるホッパー４を備える。ホッパー４は、動物の餌の供給が導入可能である回動蓋２の僅か下に位置する開放上端５、及び動物の餌が放出される上端５より著しく細い開放下端６を有する。シリンダー２１のキャップ端部２３は、ホッパー側壁７の上部領域に回転可能に取り付けられる。取付け部品１６を通って流入する加圧水によってシリンダー２１から下方へ移動可能なピストンロッド２４（図１０）は、ブラケット２６に枢着されて、それは次に回転可能な餌ディスペンサー１４の中心に連結される。
【００１５】
傾斜シュート２８（図１１）は、放出された動物の餌を前部垂直パネル１３に形成される開口部１９に、そして開口部１９から下の水平ベース３の中に配置されるボウル２５に向けるために、餌ディスペンサー１４から下向きに延びる。水平ベース３は、複数の支持体９によって下にある地面から分離される。ベース３の中に配置される第２のボウル２９は、管３３を経由してシリンダー２１から放出される水を受け入れる。
【００１６】
分配装置１０のハウジングに関して、ホッパー４の前壁とほぼ平行である、斜めの前壁１１は、前面パネル１３から上向きに延びる。後壁１２は前壁１１と対称である。シリンダー２１より上に位置する強化梁３４は、前壁１１と後壁１２の間に広がる。梁３４の上に、コントローラ３６及び水圧計３７、例えばナノメーターが配置される。
【００１７】
図４〜６は、水の流れを調整するための、したがって餌配分動作を制御可能に開始するためのフロー制御ユニット３０の動作を図式的に例示する。図に示すように、シリンダー２１は、水力がピストン３９の両側に交互に印加されて、ピストンはシリンダー２１の内部に変位嵌合して、該シリンダーの内部を２つの別の室Ａ及びＢに分けるという点で複動式である。
【００１８】
水の周期的な流れを提供するために、シリンダー２１は、２つのポート２２及び２７を備え、ポート２２はシリンダーキャップ端２３の近くのピストン３９の最高位置より上に位置して、ポート２７はピストン３９の一番下の位置の下に位置する。可撓性ホース３１及び３２は、ポート２２及び２７にそれぞれ連結して、シリンダー２１の角変位を考慮して十分な可撓性を有する。四方向の、４ポート方向制御弁４５は、ホース３１及び３２の他端に、更に、下方へそれから前面パネル１３を通って横に管３３まで延びる放水導管３８に作動的に連結している。制御弁４５は、取付け部品１６から延びる、導管１７にも作動的に連結している。制御弁４５の周期的な動作は、有線又は無線通信リンクを通じて選択された時間にコントローラ３６によって同期する。
【００１９】
第１の段階において、図４に示すように、放出導管３８と流体連通する出口ポートｋが閉じたままであると共に、導管１７と流体連通する制御弁４５の入口ポートｊは開いている。加圧と排出が交互に起こる２つの転送ポートｍ及びｌを有する制御弁４５を利用して、ポートｍが開いて、ポートｌが閉じている間に、この第１のサイクルは行われる。このように、取付け部品１６を通って流入する水は、従って、導管１７及び３１を通って室Ａに流されて、それに連結されるピストン３９及びピストンロッド２４を下方へ動かす。
【００２０】
図５に示される第２の段階において、転送ポートｌが開かれて、転送ポートｍが閉じられたあとに、取付け部品１６を通って流入する水は、導管１７及び３２を通って室Ｂに流される。それに連結されるピストン３９及びピストンロッド２４は、従って上方へ動かされる。
【００２１】
第２の段階と同時に、図６に示される第３の段階があり、それによって、室Ａに前に流入した水は、ピストン３９の上方への移動に応答して、ポート２２及びｍを通って排出される。出口ポートｋは、排出した水が導管３８及び管３３を通って水ボウルに放出されることができるように開かれる。
【００２２】
第１の段階は繰り返すことができて、第４の段階が続いて、それによって室Ｂに前に流入した水は、ピストン３９の下方への移動に応答して、ポート２７及びｌを通して排出される。出口ポートｋは、排出される水が導管３８及び管３３を通して水ボウルに放出されることができるように開かれる。
【００２３】
水ボウルは、ボウル内の水位を検出するために、フロート弁又はリミットスイッチを備えることができる。水位が所定の高水位より上にあるときはいつでも、入口ポートｊは、ボウル内の水位が低下するまで更なる水の流入を防止するために、例えばコントローラとの相互作用によって閉じられる。
【００２４】
ここで、それが通常取り付けられるホッパーの側壁から分離されるときに示される、それが周囲の管状ケース４２の中に配置されたときの管状餌ディスペンサー１４を例示する図７を参照する。ほぼ垂直方向の取付プレート４４は、例えば、その第１の長手方向端でケース４２の上面４３に溶接することによって取り付けられる。一つの取付プレート４４だけが示されたけれども、第２の取付プレートがケース４２の第２の長手方向端で上面４３にも取り付けられている。
【００２５】
回転可能な餌ディスペンサー１４は、長手方向に延びる開口４８を備えて形成された管状円周壁４７とその第１の長手方向端の円形壁４９とを備える。ブラケット２６は、取付プレート４４に対する干渉を回避するように円形壁４９に固定して連結される。
【００２６】
餌ディスペンサー１４の第２の長手方向端は遮られておらず、これにより、当業者に公知であるように、油圧で、電気的に、又は手動であるにせよ、餌ディスペンサー１４の内部の中で円筒状減容装置５１の選択的な長手方向変位が可能となる。
【００２７】
例えば、図２に示すように、円形壁４９の中心を通過するソケット・ヘッド・ネジ１５は、回転運動を線形運動に変換するために、餌ディスペンサー１４の円周壁４７の内面に形成される線形アクチュエータに、または線形アクチュエータに係合するインターフェース要素に螺合される。減容装置５１の一つの長手方向端は、線形アクチュエータに螺合される。典型的な線形アクチュエータには、ボールネジ及びローラーネジが含まれる。六角キーでソケット・ヘッド・ネジ１５を回転させると、減容装置５１は、餌ディスペンサー内部の容積、従って分配される動物の餌の一回分を定めるために、餌ディスペンサー１４の内部で長手方向に移動する。
【００２８】
図８に示すように、ケース４２の管状壁４１は、上部の長手方向に延びる開口５６を備えて形成される。開口５６は、下部の長手方向に延びる開口５７に対して、直径方向において対向し、かつ、整列される。このように内側の餌ディスペンサー１４の開口４８が外部ケースの上部開口５６に合わせられるときに、図７に示すように、動物の餌は、餌ディスペンサーの内部に導入されることが可能である。餌ディスペンサー１４の円周壁４７が開口５７の長手方向に延びる端５９に接近するときに、動物の餌の導入は中止されて、開口５７が塞がれる。
【００２９】
図１〜３は、動物の餌が餌ディスペンサーに導入される初期位置における力伝達ユニットを例示する。力伝達ユニット４５は、シリンダー２１で格納されてそれから伸長可能なピストンロッド２４、ピストンロッド２４の端に連結されるカプラー５３、機械的利点を提供するためにカプラー５３に枢着される曲げられたブラケット２６、及びその中心にブラケット２６が連結される餌ディスペンサーの円形端壁４９を備える。
【００３０】
初期位置で、シリンダー２１の軸が、ある程度斜めの前面壁１１の方へ、例えば垂直方向から最高１０度向けられるように、シリンダー２１及びブラケット２６は、ほぼ垂直方向に配置されて、ピストンロッド２４は完全に格納される。餌ディスペンサー１４の単一開口４８は、ホッパー４の開いた底端６の中に設置されると共に、従って上方へ向けられる。そうすると、ホッパー４の内部８は、餌ディスペンサー１４の内部１８と連通する。動物の餌４６は、従って、ホッパー内部８から餌ディスペンサー１４に重力で供給される。
【００３１】
図９〜１１は、フロー制御ユニットの動作後の終了位置における力伝達ユニットを例示する。ピストンロッド２４の線形拡張の結果、カプラー５３が、シリンダーキャップ端２３をホッパー側壁７に連結するピン１のまわりを時計回り方向に回転するために前面壁１１及びシリンダー２１の近くに配置されるまで、ブラケット２６を図示の前面壁１１に向かう方向にしたがって反時計回り方向に回転させるモーメントが生ずる。この運動のため、餌ディスペンサー１４の開口４８が下方へ向けられて、動物の餌が餌ディスペンサー１４からシュート２８に完全に放出されることが可能であり、それと共に動物の餌がボウル２５に重力で供給されるように、餌ディスペンサー１４は、ブラケット２６と共に所定の反復可能な角距離を回転する。また、餌ディスペンサー１４の円周壁４７は、所定量の動物の餌に対応する一回分がボウル２５に放出されることを確実にすると共に、付加的な動物の餌が放出されるのを防止するために、ホッパー４の開いた底端を閉塞する。
【００３２】
餌ディスペンサー１４が回転する角距離は、１００度より大きくて、好ましくは１１０〜１４０度に及ぶ。シュート２８は、分配装置内の空間の占有を最小化するために、水平面に関して少なくとも４５度、好ましくは６０度より小さく傾けられる。
【００３３】
この餌分配動作の終わりに、フロー制御ユニットは、要求に応じて別の餌分配動作を行うために、初期位置へのピストンロッドの収縮及び餌ディスペンサーの回転を引き起こすためにさらに作動する。
【００３４】
図１２及び図１３は、本発明の実施形態による餌ディスペンサー１４Ａを例示する。動物の餌が餌分配動作の終りの少し前に餌ディスペンサーとケース４２の端５９の間に押し込まれ、押し込まれた動物の餌に起因して押し込まれた動物の餌を押しつぶす障害を克服するために、力伝達ユニットによって発生する増大モーメントを必要とし、そしておそらく過剰な水量が増大モーメントを発生するために流入するときにフロー制御ユニット、特にピストンの誤作動に至るのを回避するために、餌ディスペンサー１４Ａは傾斜リップ６３を備えて構成される。
【００３５】
金属の餌ディスペンサー１４Ａが、外側の円周壁４７と、円周壁４７の軸にほぼ垂直な円形壁４９によって、そして、その第２の長手方向端の開口部によって、その一つの長手方向端で区切られる内側キャビティと、円周壁４７の空所領域により画成される開口と、を備えた管状構成を呈するように機械加工された後、円周付属物６７は円周壁４７に溶接される。
【００３６】
複合外壁が、動物の餌が不連続にたまるのを防止するために、滑らかな連続する面を有するように、付属物６７は、円周壁４７に取り付けられた後に、後者と同じ湾曲を有する。リップ６７と対向するまっすぐな端７１との間に画成される開口６８は、それを通してホッパー４から放出される動物の餌の所定量を受け入れるようにサイズ設定される（図１）。餌ディスペンサー１４Ａの第２の長手方向端で開口部に嵌入された減容装置５１Ａは、その複合外壁の内面に係合して、開口６８の長さを定めるのに役立つ。
【００３７】
もちろん、餌ディスペンサー及びケースの一方又は両方は、成形プラスチックで、またはその他の剛性材料で作ることができる。
【００３８】
図１３に示すように餌分配動作の終わりの少し前に、餌ディスペンサー１４Ａのリップ６７はケース４２の端５９に接近する。ケース４２の端５９に関するリップ６７の傾斜した構成は明らかに見える。そうすると、端７６のその間の隙間は、リップ６７の第２の端７７のリップ６７と端５９間の隙間より非常に小さい。傾斜リップ６７により提供されるこの変化する隙間は、餌ディスペンサーが端５９に向かう方向に回転しているときに、餌ディスペンサーリップと隣接するケースの端の間に押し込められる動物の餌の部分に通常作用する剪断力を軽減するのに役立って、更に動物の餌の大部分が２つの隣接する端から除去されることを可能にする。
【００３９】
リップ６３は、餌分配動作のこの段階で餌ディスペンサー内に動物の餌を保持するために、そして動物の餌の全一回分がシュート２８に放出されることを確実にするために、開口６８に接するその円周端で、付属物６７の外壁から内向きに突出する（図１１）。リップ６３の断面は円形であるか、またはその他の所望の形態で構成できる。
【００４０】
図１４は、減容装置５１Ａの斜視図を例示する。餌ディスペンサーのリップと相補的である長手方向に延びる空洞７４は、減容装置５１Ａの管状体７２の中に形成されて、その外面からへこんでいる。リップは空洞７４に係合可能に受け入れられて、減容装置５１Ａが餌分配動作の過程中に餌ディスペンサーと共に回転することを可能にする。
【００４１】
前述の説明からわかるように、本発明の装置は、動物の餌及び水の両方とも所定時間に自動的に分配することが可能である。分配される動物の餌の量及び種類は、動物、主に家畜化された動物、例えばイヌ、ネコ、及びウマの必要のために、しかし半家畜化された動物、例えばシカ及びゾウのためにも適している。もちろん、装置のサイズ及び構成は、給餌される動物の種類に対してカスタマイズされる。
【００４２】
本発明のいくつかの実施形態が実例として説明されたが、本発明が、多くの変更態様、バリエーション、及び改作によって、そして請求の範囲を越えずに、当業者の範囲内である多数の等価物又は代替解決策を用いて実施することができることは明らかである。
【図１】
2018514217.tif 000003
【図２】
2018514217.tif 000004
【図３】
2018514217.tif 000005
【図４】
2018514217.tif 000006
【図５】
2018514217.tif 000007
【図６】
2018514217.tif 000008
【図７】
2018514217.tif 000009
【図８】
2018514217.tif 000010
【図９】
2018514217.tif 000011
【図１０】
2018514217.tif 000012
【図１１】
2018514217.tif 000013
【図１２】
2018514217.tif 000014
【図１３】
2018514217.tif 000015
【図１４】
2018514217.tif 000016
【手続補正書】
【提出日】平成29年3月19日(2017.3.19)
【手続補正１】
【補正対象書類名】特許請求の範囲
【補正対象項目名】全文
【補正方法】変更
【補正の内容】
【特許請求の範囲】
【請求項１】
所定量の動物の餌を分配するための、そして前記動物の餌のサイズの減少を防止するように構成される自動分配装置であり、
ａ）整列配置され、直径方向において対向する上下の開口を備え、そして前記上下の開口の間に円周方向に延びる管状壁を備えて形成される静止水平軸ケースと、
b) 前記ケースと同軸であり、そしてその中に配置される管状円周壁及び餌ディスペンサーの前記円周壁に形成された単一開口を有する前記回転可能な餌ディスペンサーと、
ｃ）動物の餌が前記餌ディスペンサーに重力で供給可能である前記ケースの上に配置されるホッパーと、
ｄ）前記餌ディスペンサーから放出される前記動物の餌を受けるために、そして前記放出された動物の餌を餌ボウルに向けるために、前記餌ディスペンサーから下向きに延びる傾斜シュートと、
ｅ）前記餌ディスペンサーの前記開口が前記ケースの前記上部開口に合わせられて、動物の餌の一回分が前記餌ディスペンサーの所定角距離だけの回転の後に前記ケースの前記下部開口を経由して完全に分配可能であるときに、前記動物の餌の一回分が前記ホッパーから前記餌ディスペンサーに導入可能であるように、前記餌ディスペンサーを前記所定の反復可能な角距離だけ回転させるための力伝達ユニットと、
を備える自動分配装置であって、
前記餌ディスペンサーの前記開口に接する長手方向に延びる端は、前記ケースの前記上部開口の長手方向に延びる端に関して斜めであり、
リップは、前記斜めの端で前記餌ディスペンサーの前記円周壁から内向きに延び、前記リップは、前記回転餌ディスペンサーの中に前記動物の餌を保持するように構成され、
変化する隙間は、前記餌ディスペンサーの斜めの端と前記ケース上部開口の前記端の間に画成され、前記隙間は、前記餌ディスペンサーが前記ケース上部開口の前記端に向かう方向に回転しているときに前記餌ディスペンサーの斜めの端と前記ケース上部開口の前記端の間に押し込まれる前記動物の餌の部分に通常作用する剪断力を軽減するために、前記餌ディスペンサーの斜めの端と前記ケース上部開口の前記端の間から前記動物の餌の部分を除去するために、そしてこのことにより前記量の動物の餌が前記シュート及び前記餌ボウルに完全に放出されることを確実にするために、前記リップの第２の長手方向端より前記リップの第１の長手方向端で十分に広い自動分配装置。
【請求項２】
前記力伝達ユニットはフロー制御装置により駆動される請求項１に記載の動物の餌分配装置。
【請求項３】
前記フロー制御ユニットは、家庭用給水システムからの加圧水により供給されて、前記フロー制御ユニットから放出される前記水は、水ボウルに供給される請求項２に記載の動物の餌分配装置。
【請求項４】
前記力伝達ユニットは、前記ホッパーの側壁に回転可能に取り付けられるシリンダーと、前記シリンダー内で移動可能であるピストンと、前記ピストンに連結している伸縮自在のピストンロッドと、前記ピストンロッドの端に連結しているカプラーと、前記カプラーに枢着した曲げられたブラケットと、を備え、前記ブラケットは前記餌ディスペンサーの円形端壁にも連結している請求項３に記載の動物の餌分配装置。
【請求項５】
水力が前記ピストンの両側に交互に印加可能であるように、前記シリンダーは複動式である請求項４に記載の動物の餌分配装置。
【請求項６】
前記フロー制御ユニットは、前記水の流量を制御するための制御弁及び前記制御弁の周期的動作を選択された時間に同期させるためのコントローラを備える請求項５に記載の動物の餌分配装置。
【請求項７】
長手方向に移動可能な減容装置は、前記動物の餌の望ましい量を定めるために前記餌ディスペンサーの内部に受け入れ可能である請求項１に記載の動物の餌分配装置。
【請求項８】
前記減容装置は、前記餌ディスペンサーの前記リップと相補的である長手方向に延びる空洞を備えて形成される管状体を有し、前記リップは、餌分配動作の間に前記餌ディスペンサーと共に前記減容装置の回転を容易にするために、前記空洞に係合可能に受け入れることができる請求項７に記載の動物の餌分配装置。
【請求項９】
前記餌ディスペンサーが回転する前記角距離は、１００度より大きい請求項１に記載の動物の餌分配装置。
【請求項１０】
前記餌ディスペンサーが回転する前記角距離は、１１０〜１４０度に及ぶ請求項９に記載の動物の餌分配装置。
【請求項１１】
前記リップは円形断面を備えて構成される請求項１に記載の動物の餌分配装置。
【請求項１２】
前記シュートは、前記ホッパーから外側に間隔を置いて配置される前記装置の２つの対向収容パネル間の水平面に関して均一傾斜を有する請求項１に記載の動物の餌分配装置。
【請求項１３】
前記水平面に関する前記シュートの前記傾斜は、少なくとも４５度である請求項１２に記載の動物の餌分配装置。
【国際調査報告】
2018514217.tif 000017
2018514217.tif 000018